(57)【要約】【課題】浴室カウンターのブラケットへの着脱操作を容易に行うことができるとともに、浴室カウンターのブラケットへの着脱機構を簡便な構造とすることができる浴室カウンター構造を提供する。【解決手段】浴室空間（浴室）ＢＲの第一壁部（壁面）１０３に固定されたブラケット３と、ブラケット３に着脱可能な浴室カウンター２と、を有する浴室カウンター構造１において、浴室カウンター２は、ブラケット３に対して一方向に移動させて装着される。【選択図】図１５
2020032111.tif 000002
【特許請求の範囲】
【請求項１】
浴室の壁面に固定されたブラケットと、
前記ブラケットに着脱可能な浴室カウンターと、を有する浴室カウンター構造において、
前記浴室カウンターは、前記ブラケットに対して一方向に移動して装着されることを特徴とする浴室カウンター構造。
【請求項２】
前記浴室カウンターは、前記ブラケットに対して上方から下方に向かって移動して装着されることを特徴とする請求項１に記載の浴室カウンター構造。
【請求項３】
前記ブラケットに装着された前記浴室カウンターが、幅方向のいずれか一方側が下がり、他方側が上がる方向の回転を規制する第一回転規制機構を有する請求項１または２に記載の浴室カウンター構造。
【請求項４】
前記第一回転規制機構は、前記ブラケットに設けられ上下方向に貫通する第一係合孔と、
前記浴室カウンターに設けられ、前記第一係合孔に上方から挿入される第一凸部と、を有し、
前記第一凸部は、左右方向の両側の側面が前記第一係合孔の内周面と当接または近接している請求項３に記載の浴室カウンター構造。
【請求項５】
前記ブラケットに装着された前記浴室カウンターが、奥行き方向の手前側および奥側のいずれか一方側が下がり、他方側が上がる方向の回転を規制する第二回転規制機構を有する請求項１乃至４のいずれか１項に記載の浴室カウンター構造。
【請求項６】
前記第二回転規制機構は、前記ブラケットに設けられ上下方向に貫通する第二係合孔と、
前記浴室カウンターに設けられ、前記第二係合孔に上方から挿入される第二凸部と、を有し、
前記第二凸部の下端部は前記第二係合孔よりも下側に位置し、
前記第二凸部の奥行き方向の奥側の側面が前記第二係合孔の内周面と当接または近接している請求項５に記載の浴室カウンター構造。
【請求項７】
前記第二回転規制機構は、前記ブラケットに設けられ前記第二係合孔よりも奥行き方向の奥側かつ上側において上方に突出する第三凸部と、
前記浴室カウンターに前記第二凸部の基端部よりも上側に設けられ下方に開口し前記第三凸部が下側から挿入される挿入溝と、を有する請求項６に記載の浴室カウンター構造。
【発明の詳細な説明】
【技術分野】
【０００１】
本発明は、浴室カウンター構造に関する。
【背景技術】
【０００２】
従来、浴室内の壁面には、石鹸、洗面器等、浴室で使用する物品を載置する浴室カウンターが取り付けられている。このような浴室カウンターとして、浴室の壁面に固定されたブラケットに着脱可能な浴室カウンターが知られている（例えば、特許文献１参照）。
特許文献１に開示された浴室カウンターをブラケットに着脱させる際には、浴室カウンターをブラケットに対して横方向にスライドさせている。浴室カウンターをブラケットに取り付ける際には、浴室カウンターをブラケットに対して横方向にスライドさせて所定の位置に配置し、浴室カウンターの横方向の移動を規制するロックスペーサを浴室カウンターの側方に取り付けている。
【先行技術文献】
【特許文献】
【０００３】
【特許文献１】特開２０１８−５１１２３号公報
【発明の概要】
【発明が解決しようとする課題】
【０００４】
特許文献１に開示された浴室カウンターでは、ブラケットへの着脱の際に、浴室カウンターを横方向へ移動させる操作、およびロックスペーサの着脱操作が必要となる。また、特許文献１に開示された浴室カウンターでは、浴室カウンターを横方向に移動させるための機構、およびロックスペーサを着脱する機構が必要となる。
【０００５】
そこで、本発明は、浴室カウンターのブラケットへの着脱操作を容易に行うことができるとともに、浴室カウンターのブラケットへの着脱機構を簡便な構造とすることができる浴室カウンター構造を提供することを目的とする。
【課題を解決するための手段】
【０００６】
上記目的を達成するため、本発明に係る浴室カウンター構造は、浴室の壁面に固定されたブラケットと、前記ブラケットに着脱可能な浴室カウンターと、を有する浴室カウンター構造において、前記浴室カウンターは、前記ブラケットに対して一方向に移動させて装着されることを特徴とする。
【０００７】
本発明では、浴室カウンターは、ブラケットに対して一方向に移動させて装着されることにより、浴室カウンターのブラケットへの着脱操作を容易に行うことができるとともに、浴室カウンターのブラケットへの着脱機構を簡便な構造とすることができる。
【０００８】
また、本発明に係る浴室カウンター構造では、前記浴室カウンターは、前記ブラケットに対して上方から下方に向かって移動して装着されてもよい。
このような構成とすることにより、浴室カウンターのブラケットへの着脱操作を容易に行うことができる。
【０００９】
また、本発明に係る浴室カウンター構造では、前記ブラケットに装着された前記浴室カウンターが、幅方向のいずれか一方側が下がり、他方側が上がる方向の回転を規制する第一回転規制機構を有していてもよい。
このような構成とすることにより、浴室カウンターの幅方向の一方側に上方または下方に向かう外力が作用した場合でも、浴室カウンターが、幅方向のいずれか一方側が下がり、他方側が上がる方向に回転してブラケットから外れることを防止することができる。
【００１０】
また、本発明に係る浴室カウンター構造では、前記第一回転規制機構は、前記ブラケットに設けられ上下方向に貫通する第一係合孔と、前記浴室カウンターに設けられ、前記第一係合孔に上方から挿入される第一凸部と、を有し、前記第一凸部は、左右方向の両側の側面が前記第一係合孔の内周面と当接または近接していてもよい。
このような構成とすることにより、浴室カウンターの幅方向の一方側に上方または下方に向かう外力が作用した場合に、第一凸部の左右方向のいずれかの側面が第一係合孔の内周面と当接する。これにより、浴室カウンターが、幅方向のいずれか一方側が下がり、他方側が上がる方向に回転することが防止され、ブラケットから外れることを防止することができる。
【００１１】
また、本発明に係る浴室カウンター構造では、前記ブラケットに装着された前記浴室カウンターが、奥行き方向の手前側および奥側のいずれか一方側が下がり、他方側が上がる方向の回転を規制する第二回転規制機構を有していてもよい。
このような構成とすることにより、浴室カウンターの奥行き方向の手前側または奥側に下方に向かう外力が作用した場合でも、浴室カウンターが、奥行き方向の手前側が下がり奥側が上がる方向、または奥行き方向の奥側が下がり手前側が上がる方向に回転してブラケットから外れることを防止することができる。
【００１２】
また、本発明に係る浴室カウンター構造では、前記第二回転規制機構は、前記ブラケットに設けられ上下方向に貫通する第二係合孔と、前記浴室カウンターに設けられ、前記第二係合孔に上方から挿入される第二凸部と、を有し、前記第二凸部の下端部は前記第二係合孔よりも下側に位置し、前記第二凸部の奥行き方向の奥側の側面が前記第二係合孔の内周面と当接または近接していてもよい。
このような構成とすることにより、浴室カウンターの奥行き方向の手前側に下方に向かう外力が作用した場合に、第二凸部の奥行き方向の奥側の側面が第二係合孔の内周面と当接する。これにより、浴室カウンターが、奥行き方向の手前側が下がる方向に回転することが防止され、ブラケットから外れることを防止することができる。
【００１３】
また、本発明に係る浴室カウンター構造では、前記第二回転規制機構は、前記ブラケットに設けられ前記第二係合孔よりも奥行き方向の奥側かつ上側において上方に突出する第三凸部と、前記浴室カウンターに前記第二凸部の基端部よりも上側に設けられ下方に開口し前記第三凸部が下側から挿入される挿入溝と、を有していてもよい。
このような構成とすることにより、浴室カウンターの奥行き方向の手前側に下方に向かう外力が作用した場合に、第三凸部の周面が挿入溝の内周面と当接する。これにより、浴室カウンターが、奥行き方向の手前側が下がる方向に回転することが防止され、ブラケットから外れることを防止することができる。
【発明の効果】
【００１４】
本発明によれば、浴室カウンターのブラケットへの着脱操作を容易に行うことができるとともに、浴室カウンターのブラケットへの着脱機構を簡便な構造とすることができる。
【図面の簡単な説明】
【００１５】
【図１】本発明の実施形態による浴室カウンター構造を用いた浴室ユニットの一例で、カウンターが使用状態である様子を示す図である。
【図２】本発明の実施形態による浴室カウンター構造を用いた浴室ユニットの一例で、カウンターが収納状態である様子を示す図である。
【図３】カウンターを上方から見た斜視図である。
【図４】カウンターを下方から見た斜視図である。
【図５】図４のＡ−Ａ線断面図である。
【図６】図４のＢ−Ｂ断面図である。
【図７】図３のＣ−Ｃ線断面図である。
【図８】ブラケットの斜視図である。
【図９】図８のＤ−Ｄ線断面図である。
【図１０】図８のＥ−Ｅ線断面図である。
【図１１】図６のＦ部分説明する図で化粧パネルを省略した図である。
【図１２】突出部材の斜視図である。
【図１３】突出部材の他の方向の斜視図である。
【図１４】突出部材が凹部に入り込んだ様子を示す図である。
【図１５】カウンターを使用状態に取り付ける様子を説明する斜視図である。
【図１６】カウンターを使用状態に取り付けた様子を説明する断面図である。
【図１７】カウンターを使用状態に取り付けた様子を説明する断面図である。
【図１８】カウンターを使用状態に取り付ける際の突出部材と第一被係合凸部とを説明する図である。
【図１９】図１８に続くカウンターを使用状態に取り付ける際の突出部材と第一被係合凸部とを説明する図である。
【図２０】図１９に続くカウンターを使用状態に取り付ける際の突出部材と第一被係合凸部とを説明する図である。
【図２１】図２０に続くカウンターを使用状態に取り付ける際の突出部材と第一被係合凸部とを説明する図である。
【図２２】カウンターを収納状態に取り付ける様子を説明する斜視図である。
【図２３】カウンターを収納状態に取り付ける際の突出部材と第一被係合凸部とを説明する図である。
【図２４】図２３に続くカウンターを使用状態に取り付ける際の突出部材と第一被係合凸部とを説明する図である。
【図２５】図２４に続くカウンターを使用状態に取り付ける際の突出部材と第一被係合凸部とを説明する図である。
【図２６】図２５に続くカウンターを使用状態に取り付ける際の突出部材と第一被係合凸部とを説明する図である。
【発明を実施するための形態】
【００１６】
以下、本発明の実施形態による浴室カウンター構造について、図１−図２６に基づいて説明する。
図１に示すように、本実施形態に係る浴室カウンター構造１は、浴室空間ＢＲの第一壁部１０３に対して着脱可能に構成された浴室カウンター２の構造であり、物品を載置可能な浴室カウンター２と、第一壁部１０３に固定され浴室カウンター２が着脱可能なブラケット３と、を有している。浴室カウンター２は、ブラケット３を介して第一壁部１０３に対して着脱可能に構成されている。
以下では、浴室カウンター構造１を用いた浴室ユニット１００を例に説明する。なお、浴室カウンター構造１は浴室ユニット１００に限らず、在来工法により施工された浴室においても適用可能である。
【００１７】
浴室ユニット１００は、建物の躯体内にフレームとパネルとを用いて、床、壁、天井及び浴槽等を組み立てて設置される。浴室ユニット１００内に形成される浴室空間ＢＲ（浴室）には外枠形状が平面視で略長方形の浴槽１０１と、平面視略矩形であり、浴槽１０１と壁との間の床部を構成する洗い場（床面）１０２と、が設けられている。浴槽１０１の洗い場１０２との境界部分となる端部には、浴槽１０１の側面を覆うエプロン１０５が設けられ、洗い場１０２と浴槽１０１とは、エプロン１０５を介して接続されている。浴室空間ＢＲは、四方に立設された複数の壁部により形成されている。
【００１８】
本実施形態では、浴室ユニット１００の複数の壁部のうち、シャワー器具１０９、水栓１１０、シャワーホルダ１０７が設けられた壁を第一壁部１０３と称する。また、浴槽１０１のエプロン１０５の表面は、第一壁部１０３と直交して配置されている。
【００１９】
以下の説明において、第一壁部１０３の壁面に沿った水平方向を幅方向、幅方向に直交する水平方向を奥行方向とする。奥行方向のうち第一壁部１０３に近接する方向を奥行方向の奥側とし、第一壁部１０３と離間する方向を奥行方向の手前側とする。第一壁部１０３の幅方向のうち、使用者が第一壁部１０３に向かって立つ場合の左右をそれぞれ右側、左側と称する。本実施形態では、幅方向の左側に浴槽１０１が配置され、右側に洗い場１０２が配置されている。
【００２０】
浴室カウンター２は、平板状に形成され、一方の面が物品を載置可能な載置面４１となっている。本実施形態では、浴室カウンター２は、載置面４１が上方を向く第一姿勢でブラケット３に装着可能であるとともに、図２に示すように、載置面４１が奥行き方向の奥側を向く第二姿勢でブラケット３に装着可能に構成されている。浴室カウンター２の他方の面（載置面４１と反対側の面）を裏面５１とする。
図１に示すような、浴室カウンター２が第一姿勢でブラケット３に装着されている状態を使用状態とし、図２に示すような浴室カウンター２が第二姿勢でブラケット３に装着されている状態を収納状態とする。浴室カウンター２は、使用状態となると載置面４１に物品を載置して使用でき、収納状態となると第一壁部１０３に沿って配置され、使用状態と比べて第一壁部１０３からの突出寸法が小さくなる。
【００２１】
図３および図４に示すように、浴室カウンター２は、第一姿勢となると上側に配置され載置面４１が形成された天板部材４と、下側に配置され裏面５１が形成された底板部材５と、を有し、天板部材４と底板部材５とが接合されて構成されている。天板部材４および底板部材５は、それぞれ樹脂材料により形成されている。
【００２２】
浴室カウンター２は、厚さ方向から見た平面視における形状が幅方向に長尺となる略長方形であり、４つの角部が円弧形状に形成されている。天板部材４と底板部材５とは外周縁部同士が接合されている。浴室カウンター２の外周縁部には、厚さ方向（上下方向）に厚みを有する外周側壁部２３が形成されている。外周側壁部２３は、略平面状の壁部である。
【００２３】
図１に示すように、浴室カウンター２は、使用状態では、２つの長辺端部２１，２２のうちの一方の長辺端部側がブラケット３に係合され、他方の長辺端部側が第一壁部１０３よりも手前側に向かって突出している。２つの長辺端部２１，２２のうち、使用状態において手前側に位置する長辺端部を第一長辺端部２１と称し、ブラケット３と係合される側の長辺端部を第二長辺端部２２と称する。
図２に示すように、収納状態の浴室カウンター２は、第一長辺端部２１が上側となり、第二長辺端部２２が下側となる向きでブラケット３に係合される。
【００２４】
図３−図５に示すように、浴室カウンター２には、厚さ方向に貫通する排水口２４が形成されている。排水口２４は、第一長辺端部２１の近傍であって、第一長辺端部２１よりも奥側に形成され、第一長辺端部２１と略平行に延びる長孔である。排水口２４の幅方向の両端部は、幅方向の外側（幅方向の中央から左右に向かう側）に突出するように湾曲する円弧形状に形成されている。幅方向の端部側から中央に向かう側を幅方向の内側とする。
【００２５】
浴室カウンター２の載置面４１は、扁平に形成されている。載置面４１は、浴室カウンター２の外周縁部から排水口２４に向かって僅かに下降傾斜している。すなわち、浴室カウンター２が第一姿勢となると、載置面４１は、排水口２４の縁部の高さが最も低く、浴室カウンター２の外周縁部から排水口２４に向かって緩やかに下降傾斜している。ただし、載置面４１の傾斜角度は、載置面４１上の水が排水口２４に向かって流れ、物品を載置した際に、物品が自重で傾斜に沿って移動しない程度の僅かな傾斜である。
【００２６】
浴室カウンター２の裏面５１は、幅方向（長辺方向）の中央部において、第一長辺端部２１から第二長辺端部２２に向かって下方に傾斜している。
【００２７】
図４−図６に示すように、浴室カウンター２は、裏面５１の第二長辺端部２２側の領域に使用状態でブラケット３に係合される第一被係止部５２を備える。第一被係止部５２は、第二長辺端部２２の幅方向の略中央部、かつ第二長辺端部２２側の外周側壁部２３より下方に形成されている。第一被係止部５２は、内側凹部５５と、外側凹部５６と、突条部（第一凸部、第二凸部）５３と、挿入溝５４とを備える。以下の第一被係止部５２の説明では、浴室カウンター２が第一姿勢であるものとする。
内側凹部５５と外側凹部５６とは連続して設けられていて、内側凹部５５の奥行き方向の奥側に外側凹部５６が配置されている。
【００２８】
内側凹部５５は、浴室カウンター２の裏面５１の幅方向の略中央部に略矩形に形成された凹部である。内側凹部５５は、下方および奥行き方向の奥側に開口している。
内側凹部５５の幅方向の両側には、内側凹部５５側の面が幅方向の内側を向く一対の側壁部５５１，５５１が配置されている。内側凹部５５の奥行き方向の手前側には、内側凹部５５側の面が奥行き方向の奥側を向く手前側壁部５５２が配置されている。内側凹部５５の上側には、内側凹部５５側の面が下側を向く底部５５３が配置されている。内側凹部５５は、一対の側壁部５５１，５５１、手前側壁部５５２および底部５５３に囲まれて形成されている。
【００２９】
内側凹部５５の幅方向の長さは、排水口２４の幅方向の長さと略等しい。各側壁部５５１，５５１には、第一被係止凸部５７，５７が設けられている。第一被係止凸部５７，５７は、それぞれ幅方向の中央側に向かって突出し、かつ奥行方向に延びる長尺な突起である。
【００３０】
内側凹部５５の第二長辺端部２２側の端部に、突条部５３が形成されている。突条部５３は、略直方体形状であり、内側凹部５５の底部５５３から下方に突出して形成されている。突条部５３は、内側凹部５５の一対の側壁部５５１，５５１、および手前側壁部５５２と離間している。
【００３１】
外側凹部５６は、内側凹部５５と第二長辺端部２２との間に形成された凹部である。外側凹部５６は、幅方向に長尺な略矩形の凹部である。外側凹部５６は、内側凹部５５よりも幅方向の開口寸法が長い。
【００３２】
外側凹部５６の幅方向の両側には、外側凹部５６側の面が幅方向の内側を向く一対の側壁部５６２，５６２が配置されている。一対の側壁部５６２，５６２には、幅方向の外側に窪むスリット５６３，５６３がそれぞれ形成されている。
外側凹部５６の上側には、外側凹部５６側の面が下側を向く底部５６１が配置されている。
外側凹部５６の奥行き方向の奥側には、幅方向の中間部に突条部５３の奥行き方向の奥側に設けられた奥側壁部５３１が配置されているとともに、幅方向の両端部近傍それぞれに外側凹部５６側の面が奥行き方向の奥側を向く手前側壁部５６４，５６４が配置されている。突条部５３の奥側壁部５３１と、手前側壁部５６４，５６４とは幅方向に離間している。
外側凹部５６は、一対の側壁部５６２，５６２、底部５６１、突条部５３の奥側壁部５３１、および手前側壁部５６４，５６４、に囲まれて形成されている。
手前側壁部５６４，５６４は、内側凹部５５の側壁部５５１，５５１の奥行き方向の奥側の端部から幅方向の外側に延び、外側凹部５６の側壁部５６２，５６２の奥行き方向の手前側の端部に達している。
【００３３】
挿入溝５４は、外側凹部５６の底部５６１の幅方向の中央部に、上方に向かって窪んで形成されている。挿入溝５４は、突条部５３と隣接する位置に形成されている。挿入溝５４の底部の左右方向の端部近傍は、それぞれ幅方向の内側から外側に向かって漸次下側に傾斜している。
【００３４】
また、浴室カウンター２は、収納状態でブラケット３に係合される第二被係止部５８を備える。第二被係止部５８は、排水口２４と、図３および図７に示す排水口２４の周面における幅方向の両側それぞれの下部側に、排水口２４の内側に突出する第二被係止凸部５８１と、を有している。
【００３５】
図８に示すブラケット３は、樹脂部材により形成され、ネジなどの固定具（不図示）で第一壁部１０３に固定されている。ブラケット３は、第一壁部１０３（図１および図２参照）に沿って設けられるベース体３１と、ベース体３１から奥行き方向の手前側に突出するアーム部３２とを備える。ベース体３１とアーム部３２とは、一体に成形されていてもよいし、それぞれ別に成形され接合されていてもよい。
【００３６】
図８−図１０に示すように、ベース体３１は、幅方向に長尺な部材であり、奥行き方向の奥側を向く裏面３１１が第一壁部１０３と対向する状態で第一壁部１０３に固定されている。ベース体３１における奥行き方向の手前側に配置され、奥行き方向の手前側を向く面を有する表面部３１２は、上部側３１２ａが上下方向に延びる平面形状であり、下部側３１２ｂが下端側に向かって次第に奥行方向の厚みが薄くなるようにわずかに傾斜する傾斜面が形成されている。ベース体３１の表面部３１２の幅方向の両端部は、ベース体３１より幅方向の外側に僅かに突出する突出縁３１５，３１５を有する。
ベース体３１の幅方向の寸法は、浴室カウンター２の外側凹部５６の幅方向の寸法よりも僅かに小さい。
【００３７】
アーム部３２は、平面視で奥行き方向の奥側に開口する略Ｕ字形状に形成され、表面部３１２から手前側に向かって略水平方向に突出して設けられている。
アーム部３２の幅寸法は、浴室カウンター２の内側凹部５５の一対の側壁部５５１，５５１間の距離よりも僅かに小さく設定されている。
アーム部３２は、幅方向に離間する２つの基部３２１，３２１がベース体３１の表面部３１２から手前側に突出し、各基部３２１，３２１の手前側の端部間にバー３２２が架設されている。
バー３２２は、表面部３１２と略平行に延設されている。バー３２２の手前側の端面は長楕円形状に開口する形成されている。基部３２１，３２１およびバー３２２の手前側の端面には、化粧パネル３２３が取り付けられている。
【００３８】
アーム部３２と、ベース体３１の表面部３１２との間には、係合孔（第一係合孔、第二係合孔）３３が形成されている。係合孔３３は上下方向に貫通している。係合孔３３には、浴室カウンター２の突条部５３が挿通される。係合孔３３の平面視内周形状は、浴室カウンター２の突条部５３（図４参照）の平面視外周形状と相似している。
【００３９】
ベース体３１の上面における奥行き方向の手前側の縁部には、幅方向の中間部に上方に突出する突出壁（第三凸部）３１４が形成されている。突出壁３１４は、係合孔３３の上方に形成され、係合孔３３と幅方向の寸法がほぼ同じ寸法となっている。突出壁３１４の上縁部の左右方向の端部近傍は、幅方向の内側から外側に向かって漸次下側に傾斜している。突出壁３１４の上縁部の形状は、浴室カウンター２の挿入溝５４（図４参照）の底部の形状と相似している。
【００４０】
図８および図１１に示すように、各基部３２１，３２１の幅方向の外側の端部には、幅方向の外側に開口する凹部（孔部）３４１が形成されている。凹部３４１には、突出部材３４２が収容されている。図１１では、化粧パネル３２３を省略し、右側の基部３２１について示している。凹部３４１に収容された突出部材３４２は、板ばね３４３によって幅方向の外側に付勢されている。
図１２および図１３に示すように、突出部材３４２は、基部３２１（図１１参照）から突出する突出部（係止凸部）３４４と、突出部３４４と一体に形成され、凹部３４１の内部に収容され板ばね３４３が当接する板ばね当接部３４５と、を有している。突出部３４４の先端部分には、基端側から先端側に向かって先細りとなるテーパー面３４４ａが全周にわたって形成されている。
【００４１】
図１１に示すように、突出部材３４２は、板ばね３４３によって幅方向の外側に付勢されると、突出部３４４が基部３２１から突出した状態に維持されている。図１４に示すように、突出部材３４２は、幅方向の内側に押されると、突出部３４４まで基部３２１の凹部３４１に入り込んだ状態となる。突出部材３４２は、幅方向の内側に押されて凹部３４１に入り込んだ状態となると、板ばね当接部３４５が板ばね３４３を幅方向の内側に押圧し、板ばね３４３を弾性変形させている。突出部材３４２の幅方向の内側への押圧が解除されると、板ばね３４３が復元され、図１１に示すように、突出部材３４２の突出部３４４が基部３２１から突出した状態となる。
【００４２】
次に、浴室カウンター２とブラケット３との係合構造について説明する。浴室カウンター２は、使用状態と収納状態でそれぞれブラケット３に係合可能に構成されている。
まず、使用状態における浴室カウンター２とブラケット３との係合構造について説明する。
図１５に示すように、浴室カウンター２を第一姿勢として載置面４１を上方に向けて、裏面５１の第一被係止部５２をブラケット３に上方から近付け、突条部５３を係合孔３３に挿入し、挿入溝５４（図４−図６参照）に突出壁３１４を挿入し、外側凹部５６にベース体３１を挿入する。
【００４３】
突条部５３はアーム部３２の係合孔３３の平面視形状と相似し、内側凹部５５の側壁部５５１，５５１間の距離はブラケット３のアーム部３２の幅方向の寸法よりも僅かに大きいため、アーム部３２と第一被係止部５２とが係合する。このとき、図１６および図１７に示すように、アーム部の幅方向の内側の面が、突条部の幅方向の外側の面と当接または僅かな隙間をあけて近接する。
また、内側凹部５５の手前側壁部５５２と突条部５３とにより、アーム部３２のバー３２２が挟持される。さらに、突条部５３の奥側壁部５３１がブラケット３の表面部３１２に当接する。突条部５３の下端部は、係合孔３３（アーム部３２のバー３２２）よりも下側に位置している。
外側凹部５６にベース体３１を挿入すると、外側凹部５６一対の側壁部５６２，５６２に形成されたスリット５６３，５６３に、ベース体３１から幅方向の外側に僅かに突出する突出縁３１５，３１５が挿入される。
【００４４】
第一姿勢の浴室カウンター２がブラケット３に取り付けられる際には、図１８に示すように、浴室カウンター２の内側凹部５５の各側壁部５５１，５５１に設けられた第一被係止凸部５７，５７がアーム部３２の基部３２１，３２１から突出する突出部材３４２の突出部３４４に上方から近接し、図１９に示すように、第一被係止凸部５７，５７が突出部材３４２の突出部３４４に上方から当接する。突出部材３４２の突出部３４４は、先端部がテーパー面３４４ａに形成されているため、突出部３４４のテーパー面３４４ａに第一被係止凸部５７が当接する。
【００４５】
図１８−図２１、および図２３−図２６では、右側の突出部材３４２、第一被係止凸部５７，５７および第二被係止凸部５８１を示している。また、図１８−図２１、および図２３−図２６では、突出部材３４２、第一被係止凸部５７，５７および第二被係止凸部５８１の移動をわかりやすくするため、浴室カウンター２およびブラケット３の断面形状をその断面における外形の形状としている。
【００４６】
図２０に示すように、第一被係止凸部５７がさらに下側に移動することで、突出部材３４２が幅方向の内側に押される。これにより、板ばね３４３が幅方向の内側に押されて弾性変形し、突出部材３４２の突出部３４４が凹部３４１に挿入された状態となり、基部３２１から突出していない状態となる。
第一被係止凸部５７が突出部材３４２を幅方向の内側に押圧した状態で、下側に移動し、図２１に示すように、第一被係止凸部５７が突出部３４４の下側に配置されると、突出部３４４の幅方向の内側への押圧が解除され。板ばね３４３が復元し、突出部３４４が基部３２１から突出した状態となる。
【００４７】
一方、使用状態の浴室カウンター２をブラケット３から取り外す場合は、使用者が浴室カウンター２を把持しながら上方に持ち上げると、第一被係止凸部５７，５７が突出部３４４を乗り越えて浴室カウンター２とブラケット３との係合が解除可能となり、浴室カウンター２をブラケット３から取り外すことができる。
【００４８】
次に、収納状態における浴室カウンター２とブラケット３との係合構造について説明する。図２２に示すように、浴室カウンター２を、第二姿勢とし、裏面５１側をブラケット３に対向させる。このとき、第一長辺端部２１が上側となるように配置し、排水口２４をブラケット３のアーム部３２に近付ける。排水口２４の平面視開口形状は、アーム部３２の正面視形状と相似し、排水口２４の開口寸法がアーム部３２の正面視形状よりもわずかに大きい。したがって、浴室カウンター２を裏面５１側が第一壁部１０３と対向するようにして奥行方向に近付けると、排水口２４内にアーム部３２が挿入され、アーム部３２が排水口２４に係止される。
【００４９】
第二姿勢の浴室カウンター２がブラケット３に取り付けられる際には、図２３に示すように、排水口２４の内周部に形成された第二被係止凸部５８１がアーム部３２の基部３２１，３２１から突出する突出部材３４２の突出部３４４に奥行き方向の手前側から近接し、図２４に示すように、第二被係止凸部５８１が突出部材３４２の突出部３４４に奥行き方向の手前側から当接する。
突出部材３４２の突出部３４４は、先端部がテーパー面３４４ａに形成されているため、突出部３４４のテーパー面３４４ａに第二被係止凸部５８１が当接する。
【００５０】
図２５に示すように、第二被係止凸部５８１がさらに奥行き方向の奥側に移動することで、突出部材３４２が幅方向の内側に押される。これにより、板ばね３４３が幅方向の内側に押されて弾性変形し、突出部材３４２の突出部３４４が凹部３４１に挿入された状態となり、基部３２１から突出していない状態となる。
第二被係止凸部５８１が突出部材３４２を幅方向の内側に押圧した状態で、奥行き方向の奥側に移動し、図２６に示すように、第二被係止凸部５８１が突出部３４４の奥行き方向の奥側に配置されると、突出部３４４の幅方向の内側への押圧が解除され。板ばね３４３が復元し、突出部３４４が基部３２１から突出した状態となる。
【００５１】
この結果、浴室カウンター２は、アーム部３２に係止された状態で下垂して支持され、浴室カウンター２がブラケット３に収納状態で保持される。なお、浴室カウンター２の裏面５１の第二長辺端部２２側の端部領域が第一壁部１０３に当接するように構成すると、浴室カウンター２が上下方向の２か所で第一壁部１０３に支持されるため、浴室カウンター２が収納状態で安定的に保持される。
【００５２】
図２２に示すように、収納状態では、浴室カウンター２の載置面４１とブラケット３のアーム部３２とが上下方向に略面一な状態で配置される。この結果、収納状態において、洗い場１０２における浴室カウンター２の占有スペースを抑えることができ、洗い場１０２（図２参照）を広く使用できる。
【００５３】
一方、収納状態の浴室カウンター２をブラケット３から取り外す場合は、使用者が浴室カウンター２を把持しながら奥行き方向の手前側に移動させると、第二被係止凸部５８１が突出部３４４を乗り越えて浴室カウンター２とブラケット３との係合が解除可能となり、浴室カウンター２をブラケット３から取り外すことができる。
【００５４】
次に、上述した本実施形態による浴室カウンター構造１の作用・効果について図面を用いて説明する。
上述した本実施形態による浴室カウンター構造１では、浴室カウンター２は、ブラケット３に対して上方から下方に向かう一方向に移動して取り付けられることにより、浴室カウンター２のブラケット３への着脱操作を容易に行うことができるとともに、浴室カウンター２のブラケット３への着脱機構を簡便な構造とすることができる。
本実施形態による浴室カウンター構造１では、浴室カウンター２をブラケット３に対して使用状態に取り付ける場合も、収納状態に取り付ける場合も浴室カウンター２をブラケット３に対して一方向に移動させることで取り付けることができる。
【００５５】
また、本実施形態による浴室カウンター構造１では、ブラケット３に設けられ上下方向に貫通する係合孔３３と、浴室カウンター２に設けられ、係合孔３３に上方から挿入される突条部３３と、を有し、突条部３３は、左右方向の両側の側面が係合孔３３の内周面と当接または近接している（第一回転規制機構）。
このような構成とすることにより、浴室カウンターの幅方向の一方側に上方または下方に向かう外力が作用した場合に、突条部３３の左右方向のいずれかの側面が係合孔３３の内周面と当接する。これにより、浴室カウンター２が、幅方向のいずれか一方側が下がり、他方側が上がる方向に回転することが防止され、ブラケット３から外れることを防止することができる。
【００５６】
また、本実施形態による浴室カウンター構造１では、突条部３３の下端部は係合孔３３よりも下側に位置し、突条部３３の奥行き方向の奥側の側面が係合孔３３の内周面と当接または近接している（第二回転規制機構）。
このような構成とすることにより、例えば、浴室カウンター２の奥行き方向の手前側に使用者が手をついたり、物品を置いたりして浴室カウンター２の奥行き方向の手前側に下方に向かう外力が作用した場合に、突条部３３の奥行き方向の奥側の側面が係合孔３３の内周面と当接する。これにより、浴室カウンター２が、奥行き方向の手前側が下がり、奥側が上がる方向に回転することが防止され、ブラケット３から外れることを防止することができる。また、例えば、浴室カウンター２の奥行き方向の奥側に使用者が手をついたり、物品を置いたり、浴室カウンター２の奥行き方向の手前側に下側から人や物が当たったりして浴室カウンター２の奥行き方向の奥側に下方に向かう外力が作用した場合に、突条部３３の奥行き方向の手前側の側面が係合孔３３の内周面と当接する。これにより、浴室カウンター２が、奥行き方向の奥側が下がり、手間側が上がる方向に回転することが防止され、ブラケット３から外れることを防止することができる。
【００５７】
また、本実施形態による浴室カウンター構造１では、ブラケットに設けられ係合孔３３よりも奥行き方向の奥側かつ上側において上方に突出する突出壁３１４と、浴室カウンター２に突条部３３の基端部よりも上側に設けられ下方に開口し突出壁３１４が下側から挿入される挿入溝５４と、を有している（第二回転規制機構）。
このような構成とすることにより、浴室カウンター２の奥行き方向の手前側に下方に向かう外力が作用した場合に、突出壁３１４部の周面が挿入溝５４の内周面と当接する。これにより、浴室カウンター２が、奥行き方向の手前側が下がる方向に回転することが防止され、ブラケット３から外れることを防止することができる。
【００５８】
以上、本発明によるカウンター構造の実施形態について説明したが、本発明は上記の実施形態に限定されるものではなく、その趣旨を逸脱しない範囲で適宜変更可能である。
例えば、上記の実施形態では、例えば、上記の実施形態では、浴室カウンター２は、第一姿勢および第二姿勢の両方でブラケット３に取り付け可能に構成されているが、使用状態となる第一姿勢のみでブラケット３に取り付け可能に構成されていてもよい。
また、浴室カウンター２を使用状態でブラケット３に取り付ける際に、浴室カウンターを上方から下方に向かって移動させてブラケット３に取り付けているが、奥行き方向の手前側から奥側に移動させてブラケット３に取り付けてもよいし、幅方向に移動させてブラケット３に取り付けてもよい。
また、上記の実施形態では、第一回転規制機構および第二回転規制機構が設けられているが、これらのいずれか一方または両方が設けられていなくてもよい。また、第一回転規制機構および第二回転規制機構の形態は、上記の形態以外でもよく、適宜設定されてよい。
【符号の説明】
【００５９】
１  浴室カウンター構造
２  浴室カウンター
３  ブラケット
３３  係合孔（第一係合孔、第二係合孔）
５３  突条部（第一凸部、第二凸部）
５４  挿入溝
１０３  第一壁部（壁面）
３１４  突出壁（第三凸部）
ＢＲ  浴室空間（浴室）
【図１】
2020032111.tif 000003
【図２】
2020032111.tif 000004
【図３】
2020032111.tif 000005
【図４】
2020032111.tif 000006
【図５】
2020032111.tif 000007
【図６】
2020032111.tif 000008
【図７】
2020032111.tif 000009
【図８】
2020032111.tif 000010
【図９】
2020032111.tif 000011
【図１０】
2020032111.tif 000012
【図１１】
2020032111.tif 000013
【図１２】
2020032111.tif 000014
【図１３】
2020032111.tif 000015
【図１４】
2020032111.tif 000016
【図１５】
2020032111.tif 000017
【図１６】
2020032111.tif 000018
【図１７】
2020032111.tif 000019
【図１８】
2020032111.tif 000020
【図１９】
2020032111.tif 000021
【図２０】
2020032111.tif 000022
【図２１】
2020032111.tif 000023
【図２２】
2020032111.tif 000024
【図２３】
2020032111.tif 000025
【図２４】
2020032111.tif 000026
【図２５】
2020032111.tif 000027
【図２６】
2020032111.tif 000028